(57)【特許請求の範囲】
【請求項１】
低融点合金からなる固定用媒体を介してブロック治具に固着された眼鏡レンズを浸漬できるように温水が溜められた分離部と、
前記固定用媒体の融点より高い温度の温水を前記分離部内に噴出させる温水噴出部と、
溶融した前記固定用媒体が通過可能な隙間を有する仕切部材が上端部を形成するように前記分離部の底に設けられた媒体貯留部とを備え、
前記眼鏡レンズは、前記ブロック治具が下に位置する状態で前記分離部内に浸漬され、
前記温水噴出部は、前記眼鏡レンズと前記ブロック治具との間で露出する前記固定用媒体の露出部分を指向し、前記露出部分に沿って眼鏡レンズの周方向に流れる水流を発生させるものであり、
前記仕切部材は、眼鏡レンズから外された前記ブロック治具を載せることが可能なものであることを特徴とするレンズ取外装置。
【請求項２】
請求項１記載のレンズ取外装置において、前記分離部は、前記眼鏡レンズが浸漬される浸漬槽と、
この浸漬槽を収容する外槽と、
前記浸漬槽から溢れて前記外槽に流出した温水を加熱して前記温水噴出部に供給する温水循環装置とを備えていることを特徴とするレンズ取外装置。
【請求項３】
請求項１または請求項２記載のレンズ取外装置において、前記眼鏡レンズを保持するクランプを有しかつ前記眼鏡レンズを前記分離部に対して出し入れする搬送装置と、
前記ブロック治具が前記仕切部材に落下したことを検出する検出装置とを備え、
前記搬送装置は、前記検出装置が前記ブロック治具の落下を検出したときに前記眼鏡レンズを前記分離部から搬出するものであることを特徴とするレンズ取外装置。
【請求項４】
請求項１ないし請求項３のうちいずれか一つに記載のレンズ取外装置において、前記温水噴出部は、３本のノズルによって構成され、
これらのノズルは、上方から見て眼鏡レンズの周方向に等間隔で並ぶように位置付けられていることを特徴とするレンズ取外装置。
【発明の詳細な説明】
【技術分野】
【０００１】
本発明は、低融点合金からなる固定用媒体によってブロック治具に固着された眼鏡レンズをブロック治具から取り外すためのレンズ取外装置に関するものである。
【背景技術】
【０００２】
眼鏡レンズは、製造する過程で研磨加工や切削、研削加工などの機械加工が施される。これらの加工は、眼鏡レンズを加工装置に装着して行われている。眼鏡レンズを前記加工装置に装着するにあたっては、ブロック治具が用いられている。
【０００３】
このブロック治具は、眼鏡レンズが固着されるレンズ支持部と、加工装置に取付けられる取付部とを備えている。すなわち、眼鏡レンズは、ブロック治具に固着された状態でブロック治具を介して加工装置に取付けられる。
眼鏡レンズを前記ブロック治具に固着するためには、眼鏡レンズとブロック治具との間に液状の固定用媒体を充填し、この固定用媒体を固化させて行っている。固定用媒体は、低融点合金によって形成されており、溶融した状態で眼鏡レンズとブロック治具との間に充填され、その後、冷却されて固化する。固定用媒体が固化することによって、眼鏡レンズがブロック治具に固着される。
【０００４】
眼鏡レンズの機械加工が終了した後は、ブロック治具から眼鏡レンズが外される。このブロック治具を取り外す作業は、一般的にデブロック処理と呼ばれている。デブロック処理は、特許文献１に開示されているようにブロック治具に荷重を加えて眼鏡レンズからブロック治具を取り外す方法や、衝撃ブロッキング、熱水ブロッキングなどの方法で行われている。
【０００５】
特許文献１に開示されているレンズ取外装置は、眼鏡レンズとブロック治具とにこれらが離れる方向へ荷重を加えるものである。
前記衝撃デブロッキングは、衝撃を加えて眼鏡レンズからブロック治具を取り外す方法である。熱水デブロッキングは、ブロック治具に固着された状態の眼鏡レンズを熱水に浸し、固定用媒体を溶かしてブロック治具を眼鏡レンズから取り外す方法である。
【先行技術文献】
【特許文献】
【０００６】
【特許文献１】特開２００９−２３３７９２号公報
【発明の概要】
【発明が解決しようとする課題】
【０００７】
特許文献１に開示されたレンズ取外装置は、眼鏡レンズが変形したり、眼鏡レンズを支える部分との接触により眼鏡レンズが傷つくおそれがあった。
衝撃デブロッキングでは、衝撃によって眼鏡レンズが破損することがある。熱水デブロッキングでは、熱水の温度が高すぎると、研磨した眼鏡レンズ表面が荒れたり変形してしまう。一方、熱水デブロッキングを行うにあたって熱水の温度が低いと、デブロック処理の時間が長くなり、生産性が低くなってしまう。
【０００８】
本発明はこのような問題を解消するためになされたもので、眼鏡レンズの変形や破損およびレンズ表面の荒れや変形などが生じることなく、短時間でデブロックが行われて生産性が高いレンズ取外装置を提供することを目的とする。
【課題を解決するための手段】
【０００９】
この目的を達成するために、本発明に係るレンズ取外装置は、低融点合金からなる固定用媒体を介してブロック治具に固着された眼鏡レンズを浸漬できるように温水が溜められた分離部と、前記固定用媒体の融点より高い温度の温水を前記分離部内に噴出させる温水噴出部と、溶融した前記固定用媒体が通過可能な隙間を有する仕切部材が上端部を形成するように前記分離部の底に設けられた媒体貯留部とを備え、前記眼鏡レンズは、前記ブロック治具が下に位置する状態で前記分離部内に浸漬され、前記温水噴出部は、前記眼鏡レンズと前記ブロック治具との間で露出する前記固定用媒体の露出部分を指向し、前記露出部分に沿って眼鏡レンズの周方向に流れる水流を発生させるものであり、前記仕切部材は、眼鏡レンズから外された前記ブロック治具を載せることが可能なものであることを特徴とするものである。
【００１０】
本発明は、前記発明において、前記分離部は、前記眼鏡レンズが浸漬される浸漬槽と、この浸漬槽を収容する外槽と、前記浸漬槽から溢れて前記外槽に流出した温水を加熱して前記温水噴出部に供給する温水循環装置とを備えていることを特徴とする。
【００１１】
本発明は、前記発明において、前記眼鏡レンズを保持するクランプを有しかつ前記眼鏡レンズを前記分離部に対して出し入れする搬送装置と、前記ブロック治具が前記仕切部材に落下したことを検出する検出装置とを備え、前記搬送装置は、前記検出装置が前記ブロック治具の落下を検出したときに前記眼鏡レンズを前記分離部から搬出するものであることを特徴とする。
【００１２】
本発明は、前記発明において、前記温水噴出部は、３本のノズルによって構成され、これらのノズルは、上方から見て眼鏡レンズの周方向に等間隔で並ぶように位置付けられていることを特徴とする。
【発明の効果】
【００１３】
本発明によれば、温水噴出部から噴出した温水が固定用媒体の露出部分に沿って眼鏡レンズの周方向に旋回するようになる。このため、固定用媒体の露出部分の略全域が常に新しい温水で加温されるから、固定用媒体が効率よく加温されて昇温が促進され、固定用媒体を速く溶融させることができる。ブロック治具は、固定用媒体が溶融することによって眼鏡レンズから外れ、仕切部材の上に落下する。溶融した固定用媒体は、仕切部材の隙間を通過して媒体貯留部に溜められる。すなわち、ブロック治具は、荷重や衝撃が加えられることがない熱水デブロッキングによって眼鏡レンズから外れる。
したがって、本発明によれば、眼鏡レンズの変形や破損およびレンズ表面の荒れや変形などが生じることなく、短時間でデブロックが行われて生産性が高いレンズ取外装置を提供することができる。
【図面の簡単な説明】
【００１４】
【図１】第１の実施の形態によるレンズ取外装置の平面図である。
【図２】第１の実施の形態によるレンズ取外装置の断面図で、同図は図１におけるII−ＩI線断面図である。
【図３】ブロッキング状態にある眼鏡レンズとブロック治具の側面図である。
【図４】第２の実施の形態によるレンズ取外装置の断面図である。
【発明を実施するための形態】
【００１５】
（第１の実施の形態）
以下、本発明に係るレンズ取外装置の一実施の形態を図１および図２によって詳細に説明する。
図１および図２に示すレンズ取外装置１は、二つの槽２，３を有する分離部４と、この分離部４の中に設けられた温水噴出部５と、前記分離部４の底に設けられた媒体貯留部６とを備えている。
【００１６】
二つの槽２，３とは、上方から見て円形に形成された浸漬槽２と、この浸漬槽２を収容する外槽３である。
前記浸漬槽２は、図３に示すブロッキング状態の眼鏡レンズ１１を上方から出し入れ可能な開口部を有する有底円筒状に形成されており、温水１２が溜められている。すなわち、前記分離部４は、眼鏡レンズ１１を浸漬できるように温水１２が溜められている。
前記ブロッキング状態とは、眼鏡レンズ１１が低融点合金からなる固定用媒体１３（以下、単にアロイ１３という）を介してブロック治具１４に固着された状態をいう。
【００１７】
アロイ１３は、図３に示すように、溶融状態で眼鏡レンズ１１とブロック治具１４との間に充填され、その後、冷却により固化されたものである。このアロイ１３の形状は、相対的に薄い円板状である。また、このアロイ１３の外周部は、眼鏡レンズ１１とブロック治具１４との間に露出している。
【００１８】
前記ブロック治具１４は、眼鏡レンズ１１が固着されるレンズ支持部１４ａと、図示していない加工装置に着脱可能に取付けられる取付部１４ｂとを備えている。
眼鏡レンズ１１は、前記ブロック治具１４を介して加工装置に装着され、加工装置によってレンズ面１１ａの研磨加工や、切削加工、研削加工などが施される。
機械加工が終了した眼鏡レンズ１１は、図示してはいないが、作業者によって把持された状態、あるいは、保持装置に保持された状態で、ブロック治具１４とともに浸漬槽２内に挿入される。眼鏡レンズ１１を浸漬槽２内に挿入するときは、ブロック治具１４が眼鏡レンズ１１の下に位置する状態で行う。
【００１９】
前記外槽３は、前記浸漬槽２から溢れて出た温水１２を受けるためのものである。この実施の形態による外槽３は、上方に向けて開口する箱状に形成されている。前記浸漬槽２は、この外槽３の内部に設けられている。外槽３の外形は、上方から見て四角形の箱状に限定されることはなく、上方から見て円形でもよい。この外槽３には、外槽３内に溜まった温水を吸い込む温水循環装置１５が接続されている。外槽３内の温水は、浸漬槽２から溢れて流出した温水１２である。
【００２０】
温水循環装置１５は、図２に示すように、外槽３に吸込用管体１６とフィルター１７とを介して連通された温水タンク１８と、この温水タンク１８内から温水を吸い込んで供給用管体１９によって後述する温水噴出部５に供給するポンプ２０とを備えている。すなわち、温水循環装置１５は、浸漬槽２から溢れて外槽３に流出した温水１２を再度加熱して後述する温水噴出部５に供給する。前記温水タンク１８には、温水を所定の温度に加熱するためのヒータ２１が設けられている。このヒータ２１は、温水タンク１８内の温水を前記アロイ１３の融点である６１°より高い温度であって、眼鏡レンズ１１に悪影響を及ぼさない所定の温度に昇温させる。温水の温度は、６１℃以上であって８５℃未満の温度範囲に設定することができる。好ましい温水の温度は、７０℃以上であって８０℃未満であり、より好ましい温度は、７５℃以上であって８０℃未満である。
【００２１】
温水噴出部５は、前記温水循環装置１５から供給された温水、すなわちアロイ１３の融点より高い温度の温水１２を前記浸漬槽２内に噴出させるものである。この実施の形態による温水噴出部５は、図１に示すように、３本のノズル２２によって構成されている。これらのノズル２２は、それぞれ前記温水循環装置１５の供給用管体１９に接続されており、供給用管体１９から温水１２が供給される。温水噴出部５から噴出した温水１２は、浸漬槽２内を満たし、浸漬槽２の上端から溢れて外槽３内に流入する。この外槽３内の温水１２は、上述したように前記温水循環装置１５によって再加熱されて温水噴出部５に供給される。
【００２２】
前記３本のノズル２２は、図１に示すように、上方から見て円形の浸漬槽２の周方向に等間隔で並ぶように位置付けられており、それぞれ浸漬槽２の中央部に向けて水平に延びている。各ノズル２２の先端部は、これら３本のノズル２２によって囲まれる領域にブロック治具１４を上方から挿入できるように配置されている。この先端部は、ブロック治具１４が浸漬槽２の中央部内に挿入された状態において、アロイ１３の露出部分１３ａ（図２参照）を指向し、前記露出部分１３ａに沿って眼鏡レンズ１１の周方向に流れる水流が発生するように形成されている。
【００２３】
すなわち、アロイ１３の露出部分１３ａは、３本のノズル２２から噴出した温水１２に晒される。この温水１２は、図１中に矢印で示すように、前記露出部分１３ａに沿う旋回流となってアロイ１３の周囲を流れる。このようにアロイ１３に温水１２が当たることによってアロイ１３の温度が融点を上回り、アロイ１３が溶融する。アロイ１３の比重は、水の比重より大きい。このため、溶融したアロイ１３は、浸漬槽２内の底部に位置する媒体貯留部６に落ちる。また、アロイ１３が溶融すると、ブロック治具１４が眼鏡レンズ１１から外れ、浸漬槽２内で落下する。
【００２４】
前記媒体貯留部６は、溶融したアロイ１３を貯留するためのものである。この実施の形態による媒体貯留部６は、浸漬槽２の底部に設けられた第１の仕切部材２３と、外槽３の底部に設けられた第２の仕切部材２４とが上端部を形成するように前記両槽２，３の底に設けられている。この実施の形態による媒体貯留部６は、浸漬槽２の底部を利用して形成された内側貯留部分６ａと、外槽３の底部を利用して形成された外側貯留部分６ｂとによって構成されている。なお、媒体貯留部６としては、浸漬槽２や外槽３とは別体に形成し、これらの槽２，３から取り外すことができるように形成することができる。
【００２５】
前記第１、第２の仕切部材２３，２４は、溶融した前記アロイ１３が通過可能な大きさの多数の穴２３ａ，２４ａを有する板であって、かつ眼鏡レンズ１１から外された前記ブロック治具１４を載せることが可能な剛性を有する板によって形成されている。この実施の形態においては、前記穴２３ａ，２４ａによって、本発明でいう「固定用媒体が通過可能な隙間」が構成されている。なお、第１、第２の仕切部材２３，２４の構成は、この実施の形態に示すような「穴が形成された板」に限定されることはなく、適宜変更することができる。例えば、第１、第２の仕切部材２３，２４は、図示してはいないが、金網やパンチングメタルなどによって形成することができる。
【００２６】
媒体貯留部６の下端部には、アロイ１３を排出するためのドレン弁２５，２６が設けられている。
浸漬槽２内で溶融したアロイ１３は、第１の仕切部材２３の穴２３ａを通過して内側貯留部分６ａに流入し、溜められる。浸漬槽２内で溶融したアロイ１３は、浸漬槽２内から温水１２とともに外槽３側に流れ出るおそれがある。外槽３に出たアロイ１３は、外槽３内を落下し、第２の仕切部材２４の穴２４ａを通過して外側貯留部分６ｂに流入し、溜められる。
【００２７】
この実施の形態によるレンズ取外装置１によって眼鏡レンズ１１からブロック治具１４を取り外すためには、先ず、温水噴出部５から所定の温度の温水１２を噴出させて浸漬槽２内を温水１２で満たす。次に、ブロッキング状態にある眼鏡レンズ１１をブロック治具１４が眼鏡レンズ１１の下に位置する状態で浸漬槽２内に浸漬させる。このとき、ブロック治具１４が上方から見て３本のノズル２２によって囲まれるように、眼鏡レンズ１１を浸漬槽２の中央部に浸漬させる。また、眼鏡レンズ１１の上下方向の位置は、アロイ１３の露出部分１３ａがノズル２２と同じ高さに位置するように調整する。
【００２８】
このように眼鏡レンズ１１を浸漬槽２内に浸漬させることによって、温水噴出部５から噴出した温水１２がアロイ１３の露出部分１３ａに沿って眼鏡レンズ１１の周方向に旋回するようになる。このため、アロイ１３の露出部分１３ａの略全域が常に新しい温水１２で加温されるから、アロイ１３が効率よく加温されてアロイ１３の昇温が促進され、アロイ１３を速く溶融させることができる。溶融したアロイ１３は、浸漬槽２内を落下し、第１の仕切部材２３の穴２３ａを通過して媒体貯留部６の内側貯留部分６ａに溜められる。
【００２９】
ブロック治具１４は、アロイ１３が溶融することによって眼鏡レンズ１１から外れ、第１の仕切部材２３の上に落下する。すなわち、ブロック治具１４は、荷重や衝撃が加えられることがない熱水デブロッキングによって眼鏡レンズ１１から外れる。
したがって、この実施の形態によれば、眼鏡レンズ１１の変形や破損およびレンズ表面の荒れや変形などが生じることなく、短時間でデブロックが行われて生産性が高いレンズ取外装置を提供することができる。
【００３０】
眼鏡レンズ１１は、ブロック治具１４が外れた後に浸漬槽２から引き上げられ、次の工程の装置に送られる。ブロック治具１４は、眼鏡レンズ１１が浸漬槽２から出された後に例えば作業者や図示していないブロック治具用搬送装置によって浸漬槽２内から取り出される。
【００３１】
この実施の形態による前記分離部４は、浸漬槽２と、外槽３と、温水循環装置１５とを備えている。前記浸漬槽２は、眼鏡レンズ１１が浸漬されるものである。前記外槽３は、前記浸漬槽２を収容するものである。前記温水循環装置１５は、前記浸漬槽２から溢れて前記外槽３に流出した温水１２を加熱して前記温水噴出部５に供給するものである。
この実施の形態によれば、温水１２を浸漬槽２でアロイ１３と分離させて再利用することができる。
【００３２】
すなわち、この実施の形態によれば、温水１２を再利用しているために、アロイ１３が溶融する温度の温水１２を速く得ることができる。また、浸漬槽２は、温水１２が溢れて出る構造であるから、温水噴出部５から噴出した温水１２で満たされる。すなわち、浸漬槽２内の温度は、温水１２の温度、供給量などに基づく温度になる。
したがって、この実施の形態によれば、所定の温度の温水１２を速く得ることができるとともに、浸漬槽２内の水温が自動的に所望の温度になるから、より一層生産性が高いレンズ取外装置を提供することができる。
【００３３】
この実施の形態による前記温水噴出部５は、３本のノズル２２によって構成されている。これらのノズル２２は、上方から見て眼鏡レンズ１１（浸漬槽１）の周方向に等間隔で並ぶように位置付けられている。
このため、簡単な構造でアロイ１３の周囲に温水１２によって旋回流を発生させることができるから、生産性が高いにもかかわらず製造コストが低いレンズ取外装置を提供することができる。
【００３４】
（第２の実施の形態）
本発明に係るレンズ取外装置は、図４に示すように構成することができる。図４において、前記図１〜図３によって説明したものと同一もしくは同等の部材については、同一符号を付し詳細な説明を適宜省略する。
【００３５】
この実施の形態によるレンズ取外装置１は、眼鏡レンズ１１を搬送するための搬送装置３１と、ブロック治具１４の落下を検出するための検出装置３２とを備えている。前記搬送装置３１は、眼鏡レンズ１１をレンズ面１１ａが上下方向を指向する状態で保持するクランプ３３を備えている。このクランプ３３は、眼鏡レンズ１１の外周部を径方向の３方向から挟むものを用いることができる。搬送装置３１は、前記クランプ３３に保持された眼鏡レンズ１１を浸漬槽２（分離部４）に浸漬させる搬入動作と、前記眼鏡レンズ１１を浸漬槽２から引き上げる搬出動作とを行う。
【００３６】
前記検出装置３２は、前記ブロック治具１４が前記第１の仕切部材２３の上に落下したことを検出するものである。ブロック治具１４の落下を検出するためには、ブロック治具１４の重量を検出するセンサや、ブロック治具１４を光学的に検出するセンサや、ブロック治具１４の落下により生じる磁界の変化を検出するセンサなどを用いて実現できる。
【００３７】
前記搬送装置３１は、前記検出装置３２がブロック治具１４の落下を検出したときに眼鏡レンズ１１を浸漬槽２から搬出する構成が採られている。
このため、この実施の形態によるレンズ取出装置においては、アロイ１３が溶融してブロック治具１４が眼鏡レンズ１１から外れた直後に検出装置３２がブロック治具１４の落下を検出し、搬送装置３１が眼鏡レンズ１１を浸漬槽２から搬出する。
したがって、この実施の形態によれば、ブロック治具１４が外れた直後に眼鏡レンズ１１が浸漬槽２から速やかに搬出されるから、更なる生産性の向上が図られたレンズ取外装置を提供することができる。
【符号の説明】
【００３８】
１…レンズ取外装置、１３…アロイ（固定用媒体）、１４…ブロック治具、１１…眼鏡レンズ、４…分離部、１２…温水、５…温水噴出部、２３…第１の仕切部材、２４…第２の仕切部材、６…媒体貯留部、６ａ…内側貯留部分、６ｂ…外側貯留部分、１３ａ…露出部分、２…浸漬槽、３…外槽、１５…温水循環装置、３１…搬送装置、３２…検出装置。
【図１】
0005944753.tif 000002
【図２】
0005944753.tif 000003
【図３】
0005944753.tif 000004
【図４】
0005944753.tif 000005